(57)【特許請求の範囲】
【請求項１】
吸込口を有したテーブルを上面に設け、内部に浄化装置および送風機を設け、排気口と側部通路を形成した本体と、中空の垂直筒と水平筒をほぼ逆Ｌ字状に形成し、前記水平筒が人のほぼ頭上高さに配設されるように前記側部通路に連通して設けられる通風ダクトと、この通風ダクトの水平筒に下方に向かい空気を吐出する複数の吐出口とを備え、前記吐出口より吐出される吐出風による吐出側誘引気流と吸込口による吸込側誘引気流により汚染空気を捕集する構成とした空気清浄機であって、前記通風ダクトの水平筒に垂直に吐出される中央吐出口と、この中央吐出口の側方に中央吐出口側に向かい斜め側方に吐出する側方吐出口を形成した空気清浄機。
【請求項２】
側方吐出口を水平筒形成部材を斜めに切り起しスリット状に形成した請求項１記載の空気清浄機。
【発明の詳細な説明】
【０００１】
【発明の属する技術分野】
本発明は、オフィス、病院、市役所等の公共施設に設置され喫煙者の口から出るタバコの煙も捕集し浄化できる空気清浄機に関する。
【０００２】
【従来の技術】
近年、オフィス、病院、市役所等の公共施設においては環境の良化を図るために、喫煙場所を設け、喫煙ができるように配慮されていたが、タバコの煙は周囲に拡散し、喫煙場所以外のところにタバコの煙がただようことがあり、煙が拡散しないように捕集できる空気清浄機の要求が高まってきている。
【０００３】
従来、この種の空気清浄機として図５に示すものが知られていた。以下、その構成について図５を参照しながら説明する。
【０００４】
図に示すように、上面に吸込口１０１を形成したテーブル１０２に設けた箱状で側部に排気口１０３を有した本体１０４の内部に浄化装置１０５と吸込口１０１から吸い込んだ空気を排気口１０３より排気する送風機１０６を設け、下部には移動を自在にするキャスター１０７が設けられていた。
【０００５】
そして、空気清浄機が運転されると、吸込口１０１近傍のタバコの煙は吸込口１０１より本体１０４内に吸い込まれ、浄化装置１０５により浄化されたのち、排気口１０３より排気されていた。
【０００６】
【発明が解決しようとする課題】
このような従来の空気清浄機では、タバコの煙を吸い込む吸込口１０１がテーブル１０２の面にあるため、テーブル１０２の近傍で発生するタバコの煙は吸込口１０１に吸い込まれるが、喫煙者の口やくわえタバコから出る煙の位置はテーブル１０２より相当高い位置にあるため、吸込口１０１より吸い込むことができなく、四方に拡散し環境を悪化するという課題があった。
【０００７】
本発明は上記課題を解決するもので、テーブル近傍で発生するタバコの煙および喫煙者の口またはくわえタバコから発生するタバコの煙も捕集して浄化し、環境の悪化を防止できる空気清浄機を提供することを目的とする。
【０００８】
【課題を解決するための手段】
本発明の空気清浄機においては、テーブルに吸込口を設け、内部に浄化装置および送風機を設けた本体にほぼ逆Ｌ字の通気ダクトを設け、通気ダクトには下方に向かい吐出する吐出口を人のほぼ頭上高さに設け、通風ダクトに排気流の一部を送る構成としたものである。
【０００９】
この本発明によれば、テーブル近傍で発生するタバコの煙および喫煙者の口または、くわえタバコから発生するタバコの煙も捕集して浄化できる空気清浄機を提供することができる。
【００１０】
【発明の実施の形態】
本発明の請求項１に記載の発明は、吸込口を有したテーブルを上面に設け、内部に浄化装置および送風機を設け、排気口と側部通路を形成した本体と、中空の垂直筒と水平筒をほぼ逆Ｌ字状に形成し、前記水平筒が人のほぼ頭上高さに配設されるように前記側部通路に連通して設けられる通風ダクトと、この通風ダクトの水平筒に下方に向かい空気を吐出する複数の吐出口とを備え、前記吐出口より吐出される吐出風による吐出側誘引気流と吸込口による吸込側誘引気流により汚染空気を捕集する構成とした空気清浄機であって、前記通風ダクトの水平筒に垂直に吐出される中央吐出口と、この中央吐出口の側方に中央吐出口側に向かい斜め側方に吐出する側方吐出口を形成したものであり、テーブル近傍で発生したタバコの煙は、吸込口による吸込側誘引気流により直接吸込口に吸い込まれ、喫煙者の口または、くわえタバコから発生する煙は通風ダクトに設けた吐出口から下方に向け吐出される吐出風による吐出誘引気流に誘引され吸込口に送られて捕集され、さらに、中央吐出口と側方吐出口より吐出される吐出風により中央に集中されるように吐出側誘引気流が流れるという作用を有する。
【００１１】
以下、本発明の実施の形態について図１〜図４を参照しながら説明する。
（実施の形態１）
図１に示すように、上面に設けられるテーブル１にプレフィルター２が装着される吸込口３を設けるとともに、排気口４と側部通路５を形成した本体６の内部に吸込口３から吸い込まれた空気が浄化装置７を通るように送風機８を設け、中空の垂直筒９と水平筒１０をほぼ逆Ｌ字状に形成し、水平筒１０に下方に向け吐出する吐出口１１を形成した通風ダクト１２を水平筒１０が人のほぼ頭上高さに配設されるように本体６に設けた側部通路５と連設させ、本体６に片持ち状態に取り付け、本体６の底部には本体６を移動自在とするキャスター１３を設け構成する。
【００１２】
上記構成において、送風機８が運転されている状態で喫煙者が本体６の近傍でタバコを吸うとき、タバコを持った手がテーブル１上の近傍にあるときには、プレフィルター２を介して吸込口３に吸い込まれる吸込側誘引気流１４により、タバコから発生する煙は吸込口３内に吸い込まれ、浄化装置７により浄化されて排気口４より本体６外に排出されるとともに、浄化された空気の一部は側部通路５を通り通風ダクト１２内に送られ、通風ダクト１２の水平筒１０に設けた吐出口１１より吐出される。
【００１３】
そして、喫煙者が口よりタバコの煙を出したり、くわえタバコから発生する煙は、通風ダクト１２の水平筒１０に設けた吐出口１１から吐出される吐出風により周辺から空気が誘引されるように流れる吐出側誘引気流１５により吸込口３側に送られ、吸込側誘引気流１４により本体６内に捕集され、浄化装置７を通り浄化されたのち、一部の浄化空気は側部通路５を通り通風ダクト１２内に送られ循環されることとなる。
【００１４】
また、吸込口３に設けられるプレフィルター２は、筆記具やライター等の小物類が本体６内に落下するのを防止するとともに、浄化装置７の目詰まりなどによる早期劣化を防いでいる。
【００１５】
このように本発明の実施の形態１の空気清浄機によれば、テーブル１近傍で発生するタバコの煙はテーブル１に設けた吸込口３より吸込側誘引気流１４により本体６内に捕集され、浄化装置７により浄化され、喫煙者の口または、くわえタバコより発生する煙は通風ダクト１２に設けた吐出口１１からの吐出風により発生する吐出側誘引気流１５によって吸込口３に送られ捕集され浄化されるので、タバコの煙が拡散する前に捕集することができ、タバコの煙による環境の悪化が防止できる。
【００１６】
また、浄化装置７により浄化された空気の一部を通風ダクト１２を介して循環させるので、吐出風を送る吐出風送風手段を別個に設ける必要がなくなる。
【００１７】
また、通風ダクト１２を本体６のテーブル１上に片持ち支持させたので、テーブル１の三方側より喫煙者が利用することができ、多くの人が利用できるとともに、通風ダクト１２による違和感も少なくなる。
【００１８】
なお、実施の形態１では喫煙者のタバコの煙を対象に説明したが、タバコ以外の汚染源に対しても浄化装置７の機能を変えることにより利用できることはいうまでもない。
【００１９】
（実施の形態２）
図２に示すように、通風ダクト（図示せず）の水平筒１０Ａに垂直に吐出される中央吐出口１６と、この中央吐出口１６の側方に中央吐出口１６側に向かい斜め側方に吐出する側方吐出口１７を設けた構成とする。
【００２０】
上記構成において、通風ダクト１２の水平筒１０Ａに垂直下方に吐出される中央吐出口１６から下方に吐出される垂直吐出風１８と、側方吐出口１７から中央吐出口１６側に向かう斜め側方に斜め吐出風１９が吐出され、吐出風全体は中央部側に集中されることとなり、吐出側誘引気流１５Ａによる誘引空気は吸込口（図示せず）に送風されることとなり、発生したタバコの煙が確実に捕集される。
【００２１】
このように本発明の実施の形態２の空気清浄機によれば、中央吐出口１６と側方吐出口１７より吐出される吐出風により中央に集中されるように吐出側誘引気流１５Ａが流れるので、吸込口の中央に集中してタバコの煙が送られタバコの煙の捕集効果が高められる。
【００２２】
（実施の形態３）
図３に示すように、水平筒１０Ｂを形成する水平筒形成部材１０ａに中央吐出口１６Ａを打抜き形成し、この中央吐出口１６Ａの側方に設けられる側方吐出口１７Ａを斜め上方に切起した切り起し片２０を設けることによりスリット状に形成する。
【００２３】
上記構成において、水平筒１０Ｂ内に送られた空気は中央吐出口１６Ａから下方に吐出される垂直吐出風１８と、側方吐出口１７Ａに設けた切り起し片２０により導かれる斜め吐出風１９が吐出され、吐出風全体は実施の形態２の作用と同様に中央部に集中されて発生したタバコの煙が確実に捕集される。
【００２４】
このように本発明の実施の形態３の空気清浄機によれば、水平筒形成部材１０ａを打抜くことにより中央吐出口１６Ａが形成され、側方吐出口１７Ａは斜め上方に切り起し片２０を形成することにより形成できるので、加工が容易で加工コストが節減されるとともに、別部品を使用しない一体形により材料費の節減を図ることができる。
【００２５】
（実施の形態４）
図４に示すように、浄化用の送風機８Ａを収納する送風機収納室２１を形成し、送風機収納室２１を形成する本体６Ａの側部および底部に排気口４Ａを複数形成し、浄化装置７を収納する浄化装置収納室２２と側部通路５Ａとを連通する連通口２３を設け、側部通路５Ａ内には循環用送風機２４を設け構成する。
【００２６】
上記構成において、浄化用の送風機８Ａと循環用送風機２４を運転すると、実施の形態１で説明した作用により吸込口３より吸い込まれたタバコの煙は浄化装置７により浄化され送風機８Ａに吸引された浄化空気は複数の排気口４Ａにより分散されて排気される。
【００２７】
そして、浄化装置７により浄化された空気の一部は循環用送風機２４により連通口２３を側部通路５内に吸気され、循環用送風機２４により通風ダクト１２Ａ内に強制的に送られ、通風ダクト１２Ａの水平筒１０に設けた吐出口１１より下方に向けて吐出され、タバコの煙は実施の形態１と同様の作用により吸込口３に捕集され浄化装置７により浄化された浄化空気の一部はまた、循環されることとなる。
【００２８】
このように本発明の実施の形態４の空気清浄機によれば、側部通路５Ａ内に循環用送風機２４を設け強制的に送風するので、通風ダクト１２Ａ内で発生する圧力損失を大幅に低減することができ、送風機８Ａの大型化を抑制することができるとともに、側部通路５Ａおよび通風ダクト１２Ａの流路断面積を小さくすることが可能となり、通風ダクト１２Ａの小型化に合わせ、本体６Ａ全体の小型化も図られ、設置スペースの有効利用も図れる。
【００２９】
また、排気口４Ａを複数設けたので、各排気口４Ａからの排気時の流速が遅くなり、排気口４Ａに近づいた人体にコールドドラフトを感じさせなくすることができるとともに、床のほこりを吹き上げたり、何らかの原因により一部の排気口４Ａが閉鎖されても、通常の空気浄化作用を行うことができる。
【００３０】
【発明の効果】
以上の実施の形態から明らかなように、本発明によれば上面の吸込口を有した本体に排気口を形成し、内部に側部流路と浄化装置および送風機を設け、側部通路に連通する通風ダクトに下方に向け吐出する吐出口を形成したので、吸込口による吸込側誘引気流と吐出口による吐出側誘引気流によってタバコの煙が拡散する前に捕集され、環境の悪化を防止できる空気清浄機を提供できる。
【００３１】
また、浄化装置により浄化された空気の一部を通風ダクトを介して循環するので、吐出風を送る吐出風送風手段を別個に設ける必要がなくなる。
【００３２】
また、通風ダクトを本体のテーブル上に片持ち支持させたので、テーブルの三方側より喫煙者が利用することができ、多くの人の利用が可能となるとともに、通風ダクトによる違和感も少なくなる。
【００３３】
また、通風ダクトの水平筒に垂直に吐出する中央吐出口と、この中央吐出口の側方に中央吐出側に向かい斜め側方に吐出する側方吐出口を形成したので、吸込口の中央に集中してタバコの煙が送られタバコの煙の捕集効果が高められる。
【００３４】
また、側方吐出口を水平筒形成部材を斜めに切り起しスリット状に形成したので、加工が容易で、加工コストが節減されるとともに、別部品を使用しない一体形により材料費の節減が図れる。
【００３５】
また、側部通路内に循環用送風機を設けたので、浄化用の送風機の大型化が抑制されるとともに、通風ダクトの小型化に合わせ、本体の小型化も図られ、設置スペースの有効利用も図れる。
【００３６】
また、排気口を本体の底部および側部に複数設けたので、人体が排気口に近づいた場合にもコールドドラフトを感じさせなくすることができるとともに何れかの排気口が閉鎖されても通常の空気浄化作用を行うことができる。
【図面の簡単な説明】
【図１】本発明の実施の形態１の空気清浄機の構成を示す断面図
【図２】本発明の実施の形態２の空気清浄機の水平筒の構成を示す拡大断面図
【図３】本発明の実施の形態３の空気清浄機の水平筒の構成を示す拡大断面図
【図４】本発明の実施の形態４の空気清浄機の構成を示す断面図
【図５】従来の空気清浄機の構成を示す断面図
【符号の説明】
１      テーブル
３      吸込口
４      排気口
４Ａ    排気口
５      側部通路
５Ａ    側部通路
６      本体
７      浄化装置
８      送風機
８Ａ    送風機
９      垂直筒
１０    水平筒
１０Ａ  水平筒
１０Ｂ  水平筒
１０ａ  水平筒形成部材
１１    吐出口
１２    通風ダクト
１４    吸込側誘引気流
１５    吐出側誘引気流
１６    中央吐出口
１６Ａ  中央吐出口
１７    側方吐出口
１７Ａ  側方吐出口
２０    切り起し片
２４    循環用送風機
【図１】
0003827803.tif 000002
【図２】
0003827803.tif 000003
【図３】
0003827803.tif 000004
【図４】
0003827803.tif 000005
【図５】
0003827803.tif 000006